(57)【要約】【課題】衣服ズレ防止機能を備えるパンツを提供する。【解決手段】パンツが、腰回り開口部と、２つの腿開口部と、２つの腿開口部の間にある一つのまち部と、腰回り開口部付近部に設ける腰回りリング部と、を含む。特徴として主に腰回りリング部が第１バンド部と、第２バンド部と、を含む。第１、第２バンド部の間にひだ部を設け、第１バンド部が選択により、第２バンド部の外面に貼り付け、２つのバンド部のいずれか一つの表面に摩擦滑り止め部材を設け、第１バンド部の折り曲げ態様によって、摩擦滑り止め部材を隠すまたは露出態様を構成する。露出態様において、摩擦滑り止め部材が腰回りリング部外側の衣服に貼り付けられ、摩擦滑り止め機能を発生し、移動を抑止できる。【選択図】図１
2020153054.tif 000002
【特許請求の範囲】
【請求項１】
腰回り開口部と、２つの腿開口部と、該２つの腿開口部の間に設ける一つのまち部と、前記腰回り開口部付近の場所に設ける腰回りリング部と、を含む、衣服ズレ防止機能を備えるパンツであって、
前記腰回りリング部は周り方向に対して伸縮弾性を有し、前記腰回りリング部と前記パンツ上端との間が連結部によって連結され、前記腰回りリング部が、互いに連結する第１バンド部と、第２バンド部とを含み、前記第１バンド部と前記第２バンド部との間にひだ部を設け、前記第１バンド部を選択により折り曲げて、前記第２バンド部の外面に貼り付けるか、または前記第１バンド部と前記第２バンド部と展開状態を形成して、前記第１バンド部又は前記第２バンド部のいずれか少なくとも一つの一面に少なくとも一つの摩擦滑り止め部材を設け、前記第１バンド部の折り曲げ形態が異なるによって、摩擦滑り止め部材が隠し状態または露出状態を形成し、隠し状態において、前記摩擦滑り止め部材が前記腰回りリング部外側の衣服に貼り付けて、摩擦滑り止め効果を発生し、前記衣服のずれ抑止機能を有することを特徴とする、
パンツ。
【請求項２】
前記腰回りリング部の前記第１バンド部と、前記第２バンド部が上下の配置関係を形成して、前記第１バンド部を外向き下方に折り曲げて、第２バンド部の外面に貼り付け、前記連結部を前記第２バンド部の下方に設け、前記第１バンド部を下向きに折り曲げて、第２バンド部の外面に貼り付けるとき、前記摩擦滑り止め部材を遮って隠し状態を形成し、前記第１バンド部と、前記第２バンド部が互いに展開状態を形成して、前記摩擦滑り止め部材が露出状態を形成し、前記第１バンド部が折り曲げ状態のとき、前記第２バンド部の全面または局所区域に貼り付けて、前記摩擦滑り止め部材の隠し状態を形成することを特徴とする、請求項１に記載のパンツ。
【請求項３】
前記腰回りリング部の前記第２バンド部と、前記第１バンド部が内側、外側の配置関係を形成し、前記連結部を前記第１バンド部と前記第２バンド部との間に設けて、ひだ部を前記連結部の付近場所に配置する形態を形成し、前記第１バンド部を、前記ひだ部を支点として、選択により上向きに折り曲げるか、または下向きに折り曲げることができ、前記第１バンド部を上向きに折り曲げて、前記第２バンド部の外面に貼り付けるとき、前記摩擦滑り止め部材を遮って隠し状態を形成し、前記第１バンド部が下向きに折り曲げるとき、前記第２バンド部と互いに展開状態を形成して、前記摩擦滑り止め部材が露出状態を形成することを特徴とする、請求項１に記載のパンツ。
【請求項４】
前記腰回りリング部の前記第２バンド部と、前記第１バンド部が内側、外側の配置関係を形成し、前記連結部を前記第１バンド部と前記第２バンド部との間に設けて、前記ひだ部を前記連結部付近場所に配置する形態を形成し、前記第１バンド部が前記ひだ部を支点として、上向きに折り曲げるか、または下向きに折り曲げことができ、前記少なくとも一つの摩擦滑り止め部材を前記第１バンド部に設け、前記第１バンド部を上向きに折り曲げて、前記第２バンド部の外面に貼り付けるとき、前記構成摩擦滑り止め部材の露出状態を形成し、前記第１バンド部を下向きに折り曲げるとき、前記第２バンド部と展開状態を形成して、前記摩擦滑り止め部材が内側向きに、遮る状態を形成することを特徴とする、請求項１に記載のパンツ。
【請求項５】
前記少なくとも一つの摩擦滑り止め部材を前記第１バンド部又は前記第２バンド部のいずれか少なくとも一つの外面に設ける場合は、連続して周り面に設ける設置形態を形成することを特徴とする、請求項２、３または４に記載のパンツ。
【請求項６】
前記少なくとも一つの摩擦滑り止め部材を前記第１バンド部又は前記第２バンド部のうちいずれか少なくとも一つの外面に設けるとき、間隔置の設置形態または間隔置きドット状分布に設置するいずれか一つを形成することを特徴とする、請求項２、３または４に記載のパンツ。
【請求項７】
前記少なくとも一つの摩擦滑り止め部材を前記第１バンド部と、前記第２バンド部両者の外面に取り付けていて、かつ、前記少なくとも一つの摩擦滑り止め部材が間隔置きの設置形態を形成し、前記第１バンド部と、前記第２バンド部において、間隔置きの設置形態の前記摩擦滑り止め部材の間に相互対向またはずらして設置の関係を形成することを特徴とする、請求項２、３または４に記載のパンツ。
【請求項８】
前記少なくとも一つの摩擦滑り止め部材がシリコン、ゴム、繰り返し使用可能な粘着部材または粘着不織布のいずれか一つより構成することを特徴とする、請求項１、２、３または４に記載のパンツ。
【発明の詳細な説明】
【技術分野】
【０００１】
本発明はパンツの分野に関し、特に衣服ズレ機能を抑止する斬新構造のパンツ構造形態に関する。
【背景技術】
【０００２】
われわれの生活の中に礼儀的または個人の好みにより、シャツまたはＴシャツなど上着をパンツの腰部に納めて出かける。しかし、作業やある期間体を動かすと、いままでパンツの腰部に納めていた上着の一部が上にズレ上がって滑り出すことが気づき、さらには出っ張りや平状態を維持できない美観性を欠く問題が残る。
【発明の概要】
【発明が解決しようとする課題】
【０００３】
前述課題に基づき、一部の業者はすでに問題解決に改良構造が開発されているも。しかし、完全でないことが現実である。一例として、業者がパンツ上部区域に横向きのストラップ式穴を設けて、上着の一部をその区域に納めて、抑止効果を図る。しかしながら、係る公知技術を適用されたパンツ構造の一体性が損なわれて洗濯耐性が悪く、破損しやすいなど使用寿命が大幅に損なわれる欠点が残されている。さらに、上着に対する摩擦抑止による滑り耐性も理想と言えない。この他、一部の業者が上着とパンツとの相関位置にオスメスボタンまたはオスメスボタンの接着バンドなどの構造形態が発明されている。しかし、この種の公知技術も上着側と、パンツ側とも組み合わせ構成品が必須であり、複雑な構造になってしまい、製造コストが高すぎる課題を残しているほか、上着と、パンツ両者の使用寿命が異なることから、そのうちの一つが破損して廃棄する場合、もう一方の機能も失われる。一方、公知パンツに粘着構成品を設けて、上着に滑り摩擦抑止効果を有するものについて、その構造設計にはかかる機能を使用しない場合の対処方法も考慮しておらず、この点も完備でない課題の一つである。
【課題を解決するための手段】
【０００４】
本発明の主な目的は、衣服ズレ防止機能を備えるパンツを提供することである。解決すべき技術課題に対して、より理想で、かつ、実用性を持つ斬新なパンツ構造形態を目指して、創造と突破をしたい。
【０００５】
前述目的に基づき、本発明で解決しようとする技術特徴は、主にパンツが、腰回り開口部と、２つの腿開口部と、２つの腿開口部の間にある一つのまち部と、腰回り開口部付近部に設ける一つの腰回りリング部と、を含む。腰回りリング部が周り方向に対して伸縮弾性を有し、腰回りリング部と、パンツ上端との間が連結部によって連結され、腰回りリング部が相互接続の第１バンド部と、第２バンド部とを含む。第１、第２バンド部の間にひだ部を設けることによって、第１バンド部が選択により、折り曲げて第２バンド部の外表面に貼り付けるか、または第１バンド部と、第２バンド部と相互展開の態様を形成し、第１バンド部、第２バンド部両者のいずれか少なくとも一つの面には、少なくとも一つの摩擦滑り止め部材を設ける。第１バンド部の折り曲げ態様によって、摩擦滑り止め部材を隠しまたは露出態様を構成する。露出態様において、摩擦滑り止め部材が腰回りリング部外側の衣服にはり合わせられる。
【０００６】
本発明の主な効果と長所は、パンツの腰回りリング部に摩擦滑り止め部材の形態特徴を設けられ、摩擦滑り止め部材の摩擦滑り止め特性をもって、利用者が上着をパンツ腰部に収めると、その箇所の上着が摩擦滑り止め部材の外側に貼り付けて、摩擦滑り止め部材でもって、上着の上へのズレを抑止し、パンツによる衣服ズレ抑止構造の構成品が単純、製造コストを軽減できるとともに、パンツの構造強度が影響されない種々の実用進歩性を有する。
【０００７】
本発明もう一つの主な目的は、腰回りリング部の第１、第２バンド部の間に設けるひだ部の特徴を有し、摩擦滑り止め部材を利用するか否か利用者に選択させて、第１バンド部が選択により、その折り曲げ効果を利用し、腰回りリング部による二種の形態が多様化な使用形態を実現できる長所と、実用進歩性を有する。
【図面の簡単な説明】
【０００８】
【図１】本発明の一好ましい実施例の立体図である。
【図２】本発明の図１による２−２の俯瞰断面図である。
【図３】本発明の一好ましい実施例を示す図である。
【図４】本発明の摩擦滑り止め部材の露出態様の局所拡大図である。
【図５】本発明の摩擦滑り止め部材の隠し態様の局所拡大図である。
【図６】本発明の摩擦滑り止め部材が第２バンド部に位置していて、かつ、間隔に設置する実施例図である。
【図７】本発明の摩擦滑り止め部材をそれぞれ第１、第２バンド部において、間隔に設置する実施例図である。
【図８】本発明の摩擦滑り止め部材が第１バンド部に位置していて、かつ、連続して設置する実施例図である。
【図９】本発明の摩擦滑り止め部材が第２バンド部に位置していて、かつ、連続して設置する実施例図である。
【図１０】本発明の摩擦滑り止め部材をそれぞれ第１、第２バンド部において、連続して設置する実施例図である。
【図１１】本発明の摩擦滑り止め部材をそれぞれ第１、第２バンド部において、上下にずらして設置する実施例図である。
【図１２】本発明の第１バンド部が下向きに折り曲げた後、第２バンド部に貼り付ける局所表面の実施図である。
【図１３】本発明の第１バンド部と、第２バンド部のもう一つの配置形態図である。
【図１４】本発明図１３に示す実施例の摩擦滑り止め部材の隠し状態を示す図である。
【図１５】本発明の第１バンド部と、第２バンド部のまた一つの配置形態図である。
【図１６】本発明図１５に示す実施例の摩擦滑り止め部材の隠し状態を示す図である。
【図１７】本発明の第１バンド部と、第２バンド部のさらに一つの配置形態図である。
【図１８】本発明の摩擦滑り止め部材が間隔置きにドット状分布して設置の実施例図である。
【発明を実施するための形態】
【実施例】
【０００９】
図１と、図２、本発明の衣服ズレ防止機能を備えるパンツの一好ましい実施例を参照する。ただし、これらの実施例は説明の目的とし、発明の実施はこれらの構造に拘束されないものとする。
【００１０】
本発明において、パンツ４０が腰回り開口部１０と、２つの腿開口部２０と、２つの腿開口部２０の間に設ける一つのまち部３０と、腰回り開口部１０付近場所に設ける腰回りリング部４０と、を含む。腰回りリング部４０が周り方向に対して伸縮弾性を有し、腰回りリング部４０と、パンツＡの上端との間が連結部０５によって連結されている。そのうち、腰回りリング部４０が相互連結の第１バンド部４１と、第２バンド部４２と、を含む。第１バンド部４１と、第２バンド部４２との間にひだ部５０を設け、第１バンド部４１が選択により、外向きに下方へ折り曲げて、第２バンド部４２の外面に貼り付けるか、または第１バンド部４１と、第２バンド部４２との展開状態を形成する。そのうち、第１バンド部４１と、第２バンド部４２のいずれが少なくとも一つの面に少なくとも一つの摩擦滑り止め部材６０を設けられ、第１バンド部４１が下向きに折り曲げて、第２バンド部４２の外面に貼り付けたとき、摩擦滑り止め部材６０を遮って隠し状態を形成し、一方、第１バンド部４１と、第２バンド部４２が互いに展開状態を形成するとき、摩擦滑り止め部材６０が露出状態を形成する。この態様において、摩擦滑り止め部材６０が腰回りリング部４０外側の衣服に貼り付けて、摩擦滑り止め効果を発生し、衣服ズレの抑止機能を有する。
【００１１】
図１を参照する。この実施例において、腰回りリング部４０の第１バンド部４１と、第２バンド部４２が上下の配置関係を形成し、第１バンド部４１を外向きに下方へ折り曲げた後、第２バンド部４２の外面に貼り付け（図５に示す）、連結部０５が第２バンド部４２の下方に設けられている。
【００１２】
そのうち、少なくとも一つの摩擦滑り止め部材６０がシリコン、ゴム、繰り返し使用可能な粘着部材または粘着性不織布のいずれかを選択する。
【００１３】
前述構造形態と技術特徴により、本発明で開示される衣服ズレ防止機能を備えるパンツの一好ましい実施例を適用した場合は、図３ないし図５に示すように、腰回りリング部４０が第１バンド部４１と、第２バンド部４２に分けていて、かつ、摩擦滑り止め部材６０を腰回りリング部４０に設け、第１、第２バンド部４１、４２との間にひだ部５０を設ける等の形態特徴を有する。利用者がパンツＡを履くときに（図３に示す）、摩擦滑り止め部材６０を使用するか否かを選択できる。第１バンド部４１を上向きに繰り上げられ、摩擦滑り止め部材６０が露出状態のとき、図４に示すように、利用者がパンツ腰部に納めた上着７０の内側がちょうど摩擦滑り止め部材６０の外側に貼り付けて、上着７０が上方向にズレ滑りを防いで置く。これに対して、利用者が摩擦滑り止め部材６０を使用しない場合は、第１バンド部４１を下向きに折り曲げて、第２バンド部４２の外面に貼り付けることによって、摩擦滑り止め部材６０の隠し状態を形成する（図５に示す）。以上をまとめると、本発明の技術特？を適用すれば、衣服ズレ抑止の実用機能を達成できるとともに、摩擦滑り止め部材６０をパンツＡの腰回りリング部４０表面のみに設ければ良い。構成品が単純、しかも製造コストを軽減できる。その上、パンツＡ従来の構造もまったく損なわれないため、パンツＡの構造強度に影響を与えない。さらに、第１バンド部４１を上下に折り曲げる形態を適用すれば、腰回りリング部４０に二種の形態をもたせて、利用者の多元化需要に応えられる。
【００１４】
図６と、図７を参照する。この実施例において、少なくとも一つの摩擦滑り止め部材６０が第１バンド部４１、第２バンド部４２のいずれか少なくとも一つの外面において、間隔置きの設置態様を示す。
【００１５】
図８ないし図１０を参照する。この実施例において、摩擦滑り止め部材６０が第１バンド部４１、第２バンド部４２のいずれか少なくとも一つの外面において、連続した設置態様を示す。
【００１６】
図１１を参照する。この実施例において、摩擦滑り止め部材６０が第１バンド部４１と、第２バンド部４２の外面が間隔置きの設置態様を形成していて、かつ、第１バンド部４１と、第２バンド部４２の間隔置きの設置態様における摩擦滑り止め部材６０の間において、相互をずらして設置する実施形態を示す。
【００１７】
そのうち、第１バンド部４１が下向きに折り曲げ状態のときは、第２バンド部４２の全面または局所区域に貼り付けていて、かつ、摩擦滑り止め部材６０が隠し状態を形成する。この部分は図１２に示すように、第１バンド部４１が下向きの折り曲げ状態は第２バンド部４２の局所区域に貼り付けていて、摩擦滑り止め部材６０が隠し状態を形成する。第１バンド部４１が下向きに折り曲げ状態のとき、第１バンド部４１が第２バンド部４２の局所区域に貼り付ける実施態様の場合、比較的に小さい折り曲げ面積が得られる。
【００１８】
図１３ないし図１６を参照する。この実施例において、腰回りリング部４０Ｂの第２バンド部４２Ｂと、第１バンド部４１Ｂが内側と、外側の配置関係を形成して、連結部０５を第１バンド部４１Ｂと、第２バンド部４２Ｂとの間に設けて、ひだ部５０が連結部０５の付近場所に配置する形態を形成し、第１バンド部４１Ｂは例えばひだ部５０を支点として、選択により上向きに折り曲げるか（図１４に示す）または下向きに折り曲げる（図１３所示）。第１バンド部４１Ｂを上向きに折り曲げて第２バンド部４２Ｂの外面に貼り付けると、摩擦滑り止め部材６０を遮って隠し状態を形成する。これに対して、第１バンド部４１Ｂを下向きに折り曲げる場合、第２バンド部４２Ｂと展開状態を形成して、摩擦滑り止め部材６０の露出状態を構成する。図１５ないし１６にもう一つの変化実施例を示す。この実施例において、摩擦滑り止め部材６０をそれぞれ第１バンド部４１Ｂと、第２バンド部４２Ｂに取り付けて、第１バンド部４１Ｂと、第２バンド部４２Ｂに設ける摩擦滑り止め部材６０が相互にずらして設置関係の実施態様を示す。
【００１９】
図１７を参照する。この実施例において、腰回りリング部４０Ｃの第２バンド部４２Ｃと、第１バンド部４１Ｃが内側と外側の配置関係を形成して、連結部０５を第１バンド部４１Ｃと、第２バンド部４２Ｃとの間に設け、ひだ部５０が連結部０５の付近場所に配置する形態を構成する。第１バンド部４１Ｃは例えば、ひだ部５０を支点として、選択により上向きに折り曲げるかまたは下向きに折り曲げても良い。少なくとも一つの摩擦滑り止め部材６０Ｃが第１バンド部４１Ｃに設けている。第１バンド部４１Ｃが上向きに折り曲げて、第２バンド部４２Ｃの外面に貼り付けるとき、摩擦滑り止め部材６０Ｃが露出状態を形成する。第１バンド部４１Ｃが下向きに折り曲げるとき（図に示す点線部分）、第２バンド部４２Ｃと展開状態を形成して、摩擦滑り止め部材６０Ｃが内側に遮って隠し状態を形成する（注：すなわち、第１バンド部４１Ｃによって遮る）。
【００２０】
引き続き、図１８を参照する。この実施例において、摩擦滑り止め部材６０Ｂを間隔置きにドット状分布して設置態様を示す。この例は摩擦滑り止め部材６０Ｂが第１バンド部４１のみを設置する実施態様だが、この限りではない。変化形態は前述どおりである。
【符号の説明】
【００２１】
Ａ         パンツ
０５       連結部
１０       腰回り開口部
２０       腿部開口部
３０       まち部
４０、４０Ｂ、４０Ｃ     腰回りリング部
４１、４１Ｂ、４１Ｃ     第１バンド部
４２、４２Ｂ、４２Ｃ     第２バンド部
５０       ひだ部
６０、６０Ｂ、６０Ｃ     摩擦滑り止め部材
７０       上着
【図１】
2020153054.tif 000003
【図２】
2020153054.tif 000004
【図３】
2020153054.tif 000005
【図４】
2020153054.tif 000006
【図５】
2020153054.tif 000007
【図６】
2020153054.tif 000008
【図７】
2020153054.tif 000009
【図８】
2020153054.tif 000010
【図９】
2020153054.tif 000011
【図１０】
2020153054.tif 000012
【図１１】
2020153054.tif 000013
【図１２】
2020153054.tif 000014
【図１３】
2020153054.tif 000015
【図１４】
2020153054.tif 000016
【図１５】
2020153054.tif 000017
【図１６】
2020153054.tif 000018
【図１７】
2020153054.tif 000019
【図１８】
2020153054.tif 000020